(57)【要約】【課題】保冷ボックスに装着して庫内空間を冷却する冷凍機ユニットにおいて、ドレンパン（６０）と水受け皿（６２）の間のドレン通路（６１）から庫内への虫や小動物の侵入を阻止する。【解決手段】ドレンパン（６０）と水受け皿（６２）の間のドレン通路（６１）にドレン水を保持するドレン水トラップ（７０）を設ける。【選択図】  図４
2004294018.tif 000002
【特許請求の範囲】
【請求項１】
ケーシング（２１）内に、圧縮機（４１）、凝縮器（４２）、膨張機構（４３）、及び蒸発器（４４）を備えるとともに、該蒸発器（４４）の下方に配置されたドレンパン（６０）と、ドレンパン（６０）からドレン通路（６１）を介してドレン水が導入される水受け皿（６２）とを備え、
上記ケーシング（２１）が保冷ボックス（１５）に固定されて該保冷ボックス（１５）の庫内空間を冷却する冷凍機ユニットであって、
上記ドレン通路（６１）の一部にドレン水トラップ（７０）が設けられていることを特徴とする冷凍機ユニット。
【請求項２】
請求項１に記載の冷凍機ユニットにおいて、
ドレン通路（６１）は、水受け皿（６２）とドレンパン（６０）との高低差によりドレン水を水受け皿（６２）に導入するように構成されていることを特徴とする冷凍機ユニット。
【請求項３】
請求項２に記載の冷凍機ユニットにおいて、
ドレン水トラップ（７０）内の水位が、ドレンパン（６０）の底面よりも低く、かつ、保冷ボックス（１５）に設けられるドア（１６）を開くことにより庫内がケーシング（２１）内よりも低圧になったときにドレンパン（６０）へのドレン水の逆流が生じない高さになるように、上記ドレン水トラップ（７０）が構成されていることを特徴とする冷凍機ユニット。
【請求項４】
請求項１，２または３に記載の冷凍機ユニットにおいて、
ドレン水トラップ（７０）は、水受け皿（６２）と一体に形成されるとともに、該ドレン水トラップ（７０）内のドレン水を水受け皿（６２）へ導入する流出口（７５）を備えていることを特徴とする冷凍機ユニット。
【請求項５】
請求項４に記載の冷凍機ユニットにおいて、
ドレン水トラップ（７０）は、水受け皿（６２）に隣接するカップ状のトラップ容器部（７２）と、該トラップ容器部（７２）内を流入路（７７）と流出路（７８）とに区画する仕切壁（７６）とを備え、
上記流入路（７７）がドレン通路（６１）に連通する一方、上記流出路（７８）が流入路（７７）の下端から上方へ折り返して流出口（７５）へ連通するように構成されていることを特徴とする冷凍機ユニット。
【請求項６】
請求項５に記載の冷凍機ユニットにおいて、
トラップ容器部（７２）に固定される蓋部材（７３）を備えるとともに、該蓋部材（７３）の下面に仕切壁（７６）が形成され、
仕切壁（７６）は、その下端がドレン水トラップ（７０）の底面よりも高く、かつ吐出口よりも低い高さになるように形成されていることを特徴とする冷凍機ユニット。
【請求項７】
請求項１から６のいずれか１に記載の冷凍機ユニットにおいて、
ケーシング（２１）が底フレーム（２５）を備えるとともに、
水受け皿（６２）は、底面が上記底フレーム（２５）の上面よりも下方に位置するように配設されていることを特徴とする冷凍機ユニット。
【発明の詳細な説明】
【０００１】
【発明の属する技術分野】
本発明は、保冷庫に装着してその庫内を冷却する冷凍機ユニットに関し、特に、蒸発器で発生するドレン水を処理するための構造に係るものである。
【０００２】
【従来の技術】
従来、この種の冷凍機ユニットは、例えば玄米や野菜などの食品を保存するための保冷庫に用いられている。この保冷庫は、一般に、保冷ボックスと冷凍機ユニットとから構成されている。保冷ボックスは、前面に開閉可能なドアを有している。また、上記冷凍機ユニットは、保冷ボックスの天板の上や、底板の下に固定されている。
【０００３】
上記冷凍機ユニットは、箱形のケーシング内に、冷媒回路を構成する圧縮機、凝縮器、膨張機構、及び蒸発器などの機器が収納されたものである。この冷凍機ユニットは、上記冷媒回路内を冷媒が循環することにより蒸気圧縮式冷凍サイクルの冷却動作を行い、上記保冷ボックスの庫内を冷却する。
【０００４】
この冷凍機ユニットのケーシング内は、断熱部材により覆われた冷却空間と、断熱部材の周囲の機械室とに区画されている。上記冷却空間は保冷ボックスの庫内空間と連通しており、上記蒸発器がこの空間に配置されている。また、上記機械室には圧縮機や凝縮器などの部品が配置されている。
【０００５】
上記冷凍機ユニットを用いて保冷ボックスの庫内を冷却する運転を続けていると、庫内空気に含まれる水蒸気が蒸発器の表面で凝縮し、ドレン水が発生する。上記保冷庫を屋外に設置する場合はドレン水を機外へ排出すればよいが、屋内に設置する場合はドレン水を機内で処理する必要がある。そこで、ドレン水を機内で処理する機構を備えた保冷庫として、ドレンパンとは別に設けた水受け皿にドレン水を導入するドレン通路を設け、この水受け皿の内部でドレン水を加熱して該ドレン水を蒸発させるようにしたものがある（例えば、特許文献１参照）。
【０００６】
【特許文献１】
特開平７−３１８２３１号公報
【０００７】
【発明が解決しようとする課題】
ところで、上記冷凍機ユニットは、庫外空気が機械室を流通するように外気に対して開放されている。このため、上記冷凍機ユニットの内部には虫や小動物が入る可能性があり、虫などがドレンパンと水受け皿の間のドレン通路を逆行して冷却空間へ侵入し、さらに庫内空間まで進むおそれがある。そして、庫内に虫などが侵入すると、保管している食品が害されるおそれがある。
【０００８】
本発明は、このような問題点に鑑みて創案されたものであり、その目的は、保冷ボックスに装着して庫内空間を冷却する冷凍機ユニットにおいて、ドレンパンと水受け皿の間のドレン通路から庫内への虫や小動物の侵入を阻止することである。
【０００９】
【課題を解決するための手段】
本発明は、保冷ボックス（１５）の庫内を冷却する冷凍機ユニット（２０）において、ドレンパン（６０）と水受け皿（６２）との間のドレン通路（６１）にドレン水を保持するドレン水トラップ（７０）を設けるようにしたものである。
【００１０】
具体的に、請求項１に記載の発明は、ケーシング（２１）内に、圧縮機（４１）、凝縮器（４２）、膨張機構（４３）、及び蒸発器（４４）を備えるとともに、該蒸発器（４４）の下方に配置されたドレンパン（６０）と、ドレンパン（６０）からドレン通路（６１）を介してドレン水が導入される水受け皿（６２）とを備え、上記ケーシング（２１）が保冷ボックス（１５）に固定されて該保冷ボックス（１５）の庫内空間を冷却する冷凍機ユニット（２０）を前提としている。そして、この発明の冷凍機ユニット（２０）は、上記ドレン通路（６１）の一部にドレン水トラップ（７０）が設けられていることを特徴としている。
【００１１】
この請求項１の発明では、保冷ボックス（１５）の庫内を冷却する運転を行い、蒸発器（４４）でドレン水が発生すると、該ドレン水はドレンパン（６０）からドレン通路（６１）を通って水受け皿（６２）に導入される。このドレン水は、水受け皿（６２）の内部で例えば冷媒の凝縮熱を与えることにより蒸発させることが可能である。
【００１２】
一方、上記ドレン水は、ドレン通路（６１）を流れるときにドレン水トラップ（７０）を通るため、該ドレン水トラップ（７０）内に所定量が貯留する。したがって、冷凍機ユニット（２０）のケーシング（２１）内に虫や小動物などが侵入したとしても、貯留したドレン水により、虫などがドレン通路（６１）を逆行するのを阻止できる。
【００１３】
請求項２に記載の発明は、請求項１に記載の冷凍機ユニット（２０）において、ドレン通路（６１）が水受け皿（６２）とドレンパン（６０）との高低差によりドレン水を水受け皿（６２）に導入するように構成されていることを特徴としている。
【００１４】
この請求項２の発明では、ドレン水は、ドレンパン（６０）から水受け皿（６２）まで、ドレン通路（６１）内をヘッド差により流れていく。また、この構成においても所定量のドレン水がドレン水トラップ（７０）に貯留するので、虫などがドレン通路（６１）を逆行するのを阻止できる。
【００１５】
請求項３に記載の発明は、請求項２に記載の冷凍機ユニット（２０）において、ドレン水トラップ（７０）内の水位が、ドレンパン（６０）の底面よりも低く、かつ、保冷ボックス（１５）に設けられるドア（１６）を開くことにより庫内がケーシング（２１）内よりも低圧になったときにドレンパン（６０）へのドレン水の逆流が生じない高さに定められていることを特徴としている。つまり、ドレン水トラップ（７０）の水位は、庫内が負圧になったときでもドレンパン（６０）との高低差でドレンパン（６０）へのドレン水の逆行を阻止するような所定の高さに設定されている。
【００１６】
この請求項３の発明では、ドレンパン（６０）とドレン水トラップ（７０）内の水位との高さ関係を特定したことにより、保冷ボックス（１５）のドア（１６）を開いて庫内がケーシング（２１）内に対して負圧になったときでも、ドレン水トラップ（７０）内のドレン水がドレンパン（６０）へ向かって逆流せず、該トラップ内に保持されるようにしている。したがって、庫内が負圧になってもドレン水トラップ（７０）内のドレン水が無くならないので、虫などがドレン通路（６１）を逆行するのを確実に阻止できる。
【００１７】
さらに、ドレン通路（６１）をドレン水が逆流してしまうと、該ドレン水が庫内空間へ飛散し、その結果、冷却負荷が増大することが考えられるが、この構成ではドレン水が逆流しないので冷却負荷も増大しない。
【００１８】
請求項４に記載の発明は、請求項１，２または３に記載の冷凍機ユニット（２０）において、ドレン水トラップ（７０）が、水受け皿（６２）と一体に形成されるとともに、該ドレン水トラップ（７０）内のドレン水を水受け皿（６２）へ導入する流出口（７５）を備えていることを特徴としている。
【００１９】
この請求項４の発明では、ドレンパン（６０）からドレン通路（６１）を通って流れてきたドレン水は、ドレン水トラップ（７０）に溜まった後、その流出口（７５）から溢れると水受け皿（６２）に流入する。この構成では、水受け皿（６２）に隣接するドレン水トラップ（７０）にドレン水を溜めるようにしているので、虫などがドレン通路（６１）から庫内へさらに侵入しにくくなる。
【００２０】
請求項５に記載の発明は、請求項４に記載の冷凍機ユニット（２０）において、ドレン水トラップ（７０）が、水受け皿（６２）に隣接するカップ状のトラップ容器部（７２）と、該トラップ容器部（７２）内を流入路（７７）と流出路（７８）とに区画する仕切壁（７６）とを備え、上記流入路（７７）がドレン通路（６１）に連通する一方、上記流出路（７８）が流入路（７７）の下端から上方へ折り返して流出口（７５）へ連通するように構成されていることを特徴としている。
【００２１】
また、請求項６に記載の発明は、請求項５に記載の冷凍機ユニット（２０）において、トラップ容器部（７２）に固定される蓋部材（７３）を備えるとともに、該蓋部材（７３）の下面に仕切壁（７６）が形成され、仕切壁（７６）の下端がドレン水トラップ（７０）の底面よりも高く、かつ吐出口よりも低い高さになるように構成されていることを特徴としている。
【００２２】
これらの請求項５，６の発明では、ドレン通路（６１）からトラップ容器部（７２）内に導入されるドレン水は、ドレン通路（６１）から見て仕切壁（７６）の手前の流入路（７７）に入り、該ドレン水トラップ（７０）内に溜まる。ドレン水の流入量が増えるとドレン水トラップ（７０）の水位が上昇し、やがてドレン水は流出口（７５）から水受け皿（６２）へ流出する。このとき、流出口（７５）とドレン通路（６１）とは、仕切壁（７６）で隔てられているため、虫などはドレン通路（６１）に侵入しない。
【００２３】
請求項７に記載の発明は、請求項１から６のいずれか１に記載の冷凍機ユニット（２０）において、ケーシング（２１）が底フレーム（２５）を備えるとともに、水受け皿（６２）の底面が上記底フレーム（２５）の上面よりも下方に位置するように構成されていることを特徴としている。
【００２４】
この請求項７の発明では、水受け皿（６２）を冷凍機ユニット（２０）の底フレーム（２５）に落とし込むように構成される。このことにより、冷凍機ユニット（２０）の高さ寸法が小さくてもドレンパン（６０）と水受け皿（６２）に高低差を付けやすくなる。したがって、高さ寸法に制約のある冷凍機ユニット（２０）において、ドレンパン（６０）と水受け皿（６２）との間のドレン通路（６１）にドレン水トラップ（７０）を設けることが比較的容易になる。
【００２５】
【発明の実施の形態】
以下、本発明の実施形態を図面に基づいて詳細に説明する。
【００２６】
本実施形態は、本発明に係る冷凍機ユニット（２０）を用いた冷蔵庫（１０）に関するものである。この保冷庫（１０）は、主として玄米や野菜などの貯蔵を目的とするものであり、例えば農家の納屋の中などに設置される。
【００２７】
図１に示すように、上記保冷庫（１０）は、保冷ボックス（１５）と冷凍機ユニット（２０）とを備えている。保冷ボックス（１５）は、高さが１５００ｍｍ程度の直方体形に形成されている。保冷ボックス（１５）の前面には、左右に開くドア（１６）が設けられている。この保冷ボックス（１５）は、その内部が庫内空間となっており、この庫内空間に玄米等の貯蔵物が収納される。
【００２８】
上記冷凍機ユニット（２０）は、保冷ボックス（１５）の天板（１７）の上に固定されている。この冷凍機ユニット（２０）は、直方体状のケーシング（２１）を備えている。このケーシング（２１）は、高さ２５０ｍｍ程度の横長形状に形成されている。ケーシング（２１）の前面には、操作パネル（２２）が取り付けられている。この操作パネル（２２）には、図示しないが、各種の操作スイッチや庫内温度の表示部などが設けられている。
【００２９】
上記冷凍機ユニット（２０）の構成について、図２及び図３を参照しながら説明する。なお、ここでの説明における「右」，「左」，「前」，「後」は、何れも冷凍機ユニット（２０）を前面側から見た場合のものである。
【００３０】
上記冷凍機ユニット（２０）のケーシング（２１）は、その底部に、軽量形鋼のような構造部材（図示せず）や板材を組み合わせて構成した底フレーム（２５）を有している。また、ケーシング（２１）の内部には、断熱部材（２４）と電装品箱（２３）とが収納されている。断熱部材（２４）は、中空のドーム状に形成された発泡スチロール製の部材であって、ケーシング（２１）の右側面寄りに配置されている。このドーム状の断熱部材（２４）は、その内部が庫内空気通路（冷却空間）（３０）となっている。庫内空気通路（３０）は、保冷ボックス（１５）の天板（１７）を貫通する庫内吸込口（３１）及び庫内吹出口（３２）により、保冷ボックス（１５）内の庫内空間と連通している。一方、電装品箱（２３）は、電源ユニットや制御用のプリント基板等が収納された直方体の箱であって、ケーシング（２１）の背面に沿って断熱部材（２４）の後側に配置されている。
【００３１】
上記ケーシング（２１）の内部空間は、その概ね右半分が断熱部材（２４）と電装品箱（２３）とによって占められ、その概ね左半分が機械室であり、かつ庫外空気通路（３５）となっている。また、ケーシング（２１）は、その左側面の前面寄りに庫外吸込口（３６）が開口し、その背面の左寄りに庫外吹出口（３７）が開口している。そして、庫外空気通路（３５）は、庫外吸込口（３６）及び庫外吹出口（３７）によってケーシング（２１）外部の庫外空間と連通している。
【００３２】
上記冷凍機ユニット（２０）のケーシング（２１）内には、冷媒回路（４０）の構成部品が設けられている。この冷媒回路（４０）は、圧縮機（４１）と、凝縮器（４２）と、膨張機構であるキャピラリチューブ（４３）と、蒸発器（４４）と、アキュームレータ（４５）とを順に配管接続して構成された閉回路であって、内部に冷媒が充填されている。
【００３３】
具体的に、この冷媒回路（４０）において、圧縮機（４１）の吐出側は、吐出配管（５１）を介して凝縮器（４２）の入口端に接続されている。吐出配管（５１）の中ほどの部分は、蛇行した形状の蛇行部（５２）を構成している。この蛇行部（５２）については後述する。凝縮器（４２）の出口端から延びる高圧液管（５３）には、キャピラリチューブ（４３）の一端が接続されている。このキャピラリチューブ（４３）の他端は、蒸発器（４４）の入口端に接続されている。また、蒸発器（４４）の出口端は、吸入配管（５４）とアキュームレータ（４５）を介して圧縮機（４１）の吸入側に接続されている。この吸入配管（５４）は、断熱チューブ（５５）で覆われている。
【００３４】
なお、図２及び図３においては、吐出配管（５１）にハッチングを付しているが、この吐出配管（５１）のハッチングは、理解を助けるために付したものであって、断面を示すものではない。
【００３５】
上記冷媒回路（４０）の蒸発器（４４）は、断熱部材（２４）の内部の庫内空気通路（３０）に配置されている。具体的に、この蒸発器（４４）は、庫内空気通路（３０）における左右幅方向のほぼ中央部に、該庫内空気通路（３０）を前後に横断するように配置されている。庫内吸込口（３１）は、蒸発器（４４）に沿ってその右側に開口している。庫内吹出口（３２）は、蒸発器（４４）に沿ってその左側に開口している。蒸発器（４４）の左側には、２つの庫内ファン（３３）が前後に並んで設置されている。また、蒸発器（４４）の下方には、蒸発器（４４）で生成したドレン水を受けるためのドレンパン（６０）が形成されている。
【００３６】
一方、上記冷媒回路（４０）の圧縮機（４１）、アキュームレータ（４５）、及び凝縮器（４２）は、ケーシング（２１）内の庫外空気通路（３５）に配置されている。具体的に、圧縮機（４１）とアキュームレータ（４５）は、ケーシング（２１）内における左後ろの隅部に設置されている。凝縮器（４２）は、ケーシング（２１）の左側面に沿って、庫外吸込口（３６）に臨むように配置されている。また、凝縮器（４２）の右側には、庫外ファン（３８）が設置されている。
【００３７】
ケーシング（２１）内の庫外空気通路（３５）には、水受け皿（６２）が設置されている。
水受け皿（６２）は、比較的浅くて上面の開口した直方体形のプラスチック容器であり、庫外ファン（３８）の右側に配置されている。つまり、水受け皿（６２）は、庫外空気通路（３５）における凝縮器（４２）の空気流通方向下流側に配置されている。また、水受け皿（６２）は、底フレーム（２５）に形成された開口（２６）にはめ込まれており、その底面が底フレーム（２５）の上面よりも下方に位置している。この水受け皿（６２）とドレンパン（６０）とはドレン通路（６１）で連通しており、ドレンパン（６０）に受けられたドレン水がドレン通路（６１）を通じて水受け皿（６２）に導入されるようになっている。
【００３８】
上記水受け皿（６２）の底には、吐出配管（５１）の蛇行部（５２）と止め具（６３）とが配置されている。この蛇行部（５２）は、水受け皿（６２）の底面に沿って前後に蛇行しており、上記止め具（６３）にはめ込まれて水受け皿（６２）に固定されている。そして、この蛇行部（５２）は、水受け皿（６２）に溜まったドレン水を冷媒回路（４０）の高温冷媒と熱交換させて加熱する加熱用部材を構成している。また、水受け皿（６２）に溜まったドレン水は、凝縮器（４２）で加熱された庫外空気が近傍を通過することによっても加熱される。
【００３９】
上記ドレン通路（６１）の一部には、図２のＩＶ−ＩＶ線拡大断面図である図４と、図４のＶ−Ｖ線断面図である図５とに示すように、ドレン水トラップ（７０）が設けられている。このドレン水トラップ（７０）は、該ドレン水トラップ（７０）内の水位が、ドレンパン（６０）の底面よりも低く、しかも、保冷ボックス（１５）のドア（１６）を開くことにより庫内がケーシング（２１）内よりも低圧になったときでもドレン水がドレンパン（６０）へ逆流しない高さになるように構成されている。
【００４０】
また、ドレン通路（６１）は、水受け皿（６２）とドレンパン（６０）との高低差によりドレン水を水受け皿（６２）に導入するように構成されている。そして、ドレンパン（６０）の底面（６８）には、ドレン通路（６１）へ向かって高さが低くなるような勾配が付けられている。具体的には、上記勾配は、水平面に対して約１°ないし２°程度の僅かな下り勾配である。このことにより、ドレン水は、ドレンポンプなどの専用の送水機構を用いなくても、矢印（Ｆ）  で示すようにヘッド差でドレンパン（６０）から水受け皿（６２）へ導入される。
【００４１】
上記ドレン水トラップ（７０）は水受け皿（６２）と一体に形成されている。このドレン水トラップ（７０）には、平面から見て「Ｌ」形に形成された継手部（７１）が一体的に形成されている。この継手部（７１）は、ドレンパン（６０）に固定されたドレン管（６４）にシール材（６５）を介して接続され、その間の水漏れが防止されている。
【００４２】
上記ドレン水トラップ（７０）は、継手部（７１）の中心線を通る水平面で上下に分割された２つの部分を接合して構成されている。具体的に、ドレン水トラップ（７０）は、水受け皿（６２）に隣接するカップ状のトラップ容器部（７２）と、このトラップ容器部（７２）に固定される蓋部材（７３）とから構成されている。トラップ容器部（７２）は水受け皿（６２）と一体にプラスチック成形されたものであり、蓋部材（７３）はトラップ容器部（７２）に固定されて一体化している。そして、ドレン管（６４）と、これに接続される継手部（７１）とがドレン通路（６１）の流入口（６７）となる一方、水受け皿（６２）との間に位置する壁面（７４）にドレン水トラップ（７０）の流出口（７５）が形成されている。この流出口（７５）は、ドレン水トラップ（７０）の流出口（７５）であるとともに、ドレン通路（６１）における水受け皿（６２）側の流出口（６６）でもある。
【００４３】
上記蓋部材（７３）の下面には、トラップ容器部（７２）内を流入側と流出側の２つに仕切る仕切壁（７６）が形成されている。この仕切壁（７６）は蓋部材（７３）から垂直下方に延出しており、該仕切壁（７６）の下端とトラップ容器部（７２）の底面との間には隙間が形成されている。これにより、上記トラップ容器部（７２）内には、ドレン通路（６１）に連通する流入路（７７）と、該流入路（７７）の下端から折り返して上方へ向かい、流出口（７５）に連通する流出路（７８）とが区画形成されている。
【００４４】
−運転動作−
次に上記保冷庫（１０）の運転動作について説明する。ここでは、圧縮機（４１）、庫外ファン（３８）、及び庫内ファン（３３）の全てが運転され、庫内空間の冷却が行われている状態での動作を説明する。
【００４５】
庫外ファン（３８）を運転すると、庫外空気が庫外吸込口（３６）を通って庫外空気通路（３５）へ取り込まれる。この庫外空気は、庫外空気通路（３５）を庫外吹出口（３７）へ向かって流れる。一方、庫内ファン（３３）を運転すると、庫内空気が庫内吸込口（３１）を通って庫内空気通路（３０）へ取り込まれる。この庫内空気は、庫内空気通路（３０）を庫内吹出口（３２）へ向かって流れる。
【００４６】
圧縮機（４１）を運転すると、冷媒回路（４０）で冷媒が循環して冷凍サイクルが行われる。具体的に、圧縮機（４１）で圧縮された冷媒は、吐出配管（５１）へ吐出される。
この冷媒は、吐出配管（５１）の蛇行部（５２）を流れる間に水受け皿（６２）内のドレン水へ放熱し、その後に凝縮器（４２）へ導入される。凝縮器（４２）へ導入された冷媒は、庫外空気との間で熱交換を行い、庫外空気へ放熱して凝縮する。凝縮器（４２）で凝縮した冷媒は、高圧液管（５３）を通ってキャピラリチューブ（４３）へ流入する。
【００４７】
キャピラリチューブ（４３）を通過する間に減圧された冷媒は、蒸発器（４４）へ導入される。蒸発器（４４）へ導入された冷媒は、庫内空気との間で熱交換を行い、庫内空気から吸熱して蒸発する。蒸発器（４４）で蒸発した冷媒は、吸入配管（５４）からアキュームレータ（４５）を通って圧縮機（４１）へ吸入される。そして、この冷媒は、圧縮された後に再び圧縮機（４１）から吐出配管（５１）へ吐出される。
【００４８】
上述のように、蒸発器（４４）では、庫内空気通路（３０）を流れる庫内空気が冷媒と熱交換して冷却される。その際には、庫内空気中の水分が蒸発器（４４）の表面で凝縮してドレン水が生成される。このドレン水は、ドレンパン（６０）に一旦受けられた後にその底面（６８）の傾斜に沿って矢印（Ｆ）  方向へ流れ、ドレン通路（６１）を通って水受け皿（６２）へ導入される。
【００４９】
ドレン水は、水受け皿（６２）に導入される際にドレン水トラップ（７０）を通過する。具体的には、ドレン水はドレンパン（６０）からドレン管（６４）及び継手部（７１）を通って仕切壁（７６）の手前側の流入路（７７）に流入する。このドレン水は、流出口（７５）の下端に達するまではドレン水トラップ（７０）内に溜まっていく。そして、ドレンパン（６０）からそれ以上のドレン水がドレン水トラップ（７０）に流入すると、ドレン水はドレン水トラップ（７０）から溢れ出し、水受け皿（６２）に流入する。
【００５０】
このようにして水受け皿（６２）へ導入されたドレン水は、吐出配管（５１）の蛇行部（５２）を流れる冷媒により加熱される。また、このドレン水は、凝縮器（４２）で冷媒から吸熱した庫外空気にも加熱される。そして、水受け皿（６２）のドレン水は、冷媒と庫外空気とによって加熱されて蒸発し、水蒸気となって庫外空気と共に庫外吹出口（３７）から排出される。
【００５１】
−実施形態の効果−
本実施形態によれば、保冷ボックス（１５）の庫内を冷却する冷凍機ユニット（２０）において、ドレンパン（６０）と水受け皿（６２）の間のドレン通路（６１）にドレン水トラップ（７０）を設け、該ドレン水トラップ（７０）内に所定量のドレン水を溜めるようにしているので、冷凍機ユニット（２０）のケーシング（２１）内に虫や小動物などが侵入したとしても、これらの虫などがドレン通路（６１）を逆行して冷却空間や庫内まで進むことを防止できる。特に、ドレン水トラップ（７０）を水受け皿（６２）に隣接する配置にするとともに、流出口（７５）から見てドレン通路（６１）が仕切壁（７６）とドレン水とで閉塞されるようにしているので、虫が侵入しにくい利点もある。以上により、保冷庫（１０）内の食品が虫などに害されるのを確実に防止できる。
【００５２】
また、ドレンパン（６０）から水受け皿までドレン水を流すためのドレンパン（６０）の底面（６８）の勾配を僅かな勾配にして、ドレンパン（６０）と水受け皿（６２）の高低差を必要以上に大きくしなくてもよいようにしているので、冷凍機ユニット（２０）の大型化を防止できる。さらに、この実施形態ではドレン水をドレンパン（６０）から水受け皿（６２）までヘッド差で流すため、ドレンポンプなどが不要であり、構成の複雑化やコストアップも抑えられる。
【００５３】
また、水受け皿（６２）を底フレーム（２５）内に落とし込むようにしているため、冷凍機ユニット（２０）の高さ寸法が小さくてもドレンパン（６０）と水受け皿（６２）に必要な高低差を設けることが比較的容易となる。したがって、高さ寸法に制約のある冷凍機ユニット（２０）であっても、ドレンパン（６０）と水受け皿（６２）との間のドレン通路（６１）にドレン水トラップ（７０）を設けることが可能になり、製品設計の自由度が高められる。
【００５４】
さらに、保冷ボックス（１５）のドア（１６）を開いたときに庫内がケーシング（２１）内に対してに負圧になっても、ドレン水トラップ（７０）のドレン水がドレンパン（６０）に向かって逆流しないようにしているので、このようなときでもドレン水トラップ（７０）内にドレン水を保持でき、虫などの侵入防止効果を高められる。また、ドレン水がドレン水トラップ（７０）から逆流すると庫内へ飛散して冷却負荷が大きくなるおそれがあるが、逆流を阻止したことによりそのような問題も生じない。
【００５５】
さらに、上記水受け皿（６２）と一体のトラップ容器部（７２）を蓋部材（７３）の仕切壁（７６）で仕切ることによってドレン水トラップ（７０）を形成しているため、チューブなどを使わずにドレン水トラップ（７０）を簡単に設けることができる。また、このようにトラップ容器部（７２）内を仕切壁（７６）で区画する構成にすると、チューブなどを用いてトラップを形成する構成よりも高さ寸法を小さくすることが容易であり、冷凍機ユニット（２０）の小型化に関しても効果的である。
【００５６】
【発明のその他の実施の形態】
本発明は、上記実施形態について、以下のような構成としてもよい。
【００５７】
例えば、上記実施形態では、蒸発器（４４）で発生したドレン水をドレンパン（６０）から水受け皿（６２）に導入した後、該水受け皿（６２）で蒸発させるようにしているが、水受け皿（６２）から機外にドレン水を排出するようにしてもよい。このためには、図２に仮想線で示すようにドレンホース（８０）を接続しておくとよい。また、このドレンホース（８０）は、水受け皿（６２）でドレン水を蒸発させる実施形態の構成において、ドレン水の万一のオーバーフロー対策として設けてもよい。
【００５８】
また、上記実施形態では、ドレン水トラップ（７０）を水受け皿（６２）と一体のトラップ容器部（７２）を仕切壁（７６）で仕切ることにより形成しているが、必ずしもドレン水トラップ（７０）を水受け皿（６２）と一体にしなくてもよい。特に、上記実施形態は、ドレン水トラップ（７０）を水受け皿（６２）と一体に形成することで、高さ寸法に厳しい制約のある製品にもドレン水トラップ（７０）を設けられるようにしたものであるが、高さ寸法に余裕のある製品など、場合によってはチューブを用いてドレン水トラップ（７０）を構成することも可能である。
【００５９】
さらに、上記実施形態では、保冷ボックス（１５）の天板（１７）上に冷凍機ユニット（２０）が固定されるタイプの保冷庫（１０）について説明したが、本発明は、冷凍機ユニット（２０）が下部にあり、その上部に保冷ボックス（１５）が固定されるタイプを含め、他の形態の保冷庫（１０）でも適用可能である。
【００６０】
【発明の効果】
請求項１に記載の発明によれば、保冷ボックス（１５）の庫内を冷却する冷凍機ユニット（２０）において、ドレンパン（６０）と水受け皿（６２）の間のドレン通路（６１）にドレン水トラップ（７０）を設け、該ドレン水トラップ（７０）内にドレン水を溜めるようにしているので、冷凍機ユニット（２０）のケーシング（２１）内に虫や小動物などが侵入したとしても、これらの虫などがドレン通路（６１）を逆行して冷却空間や庫内まで進むことを防止できる。このことにより、保冷庫（１０）内の食品を確実に保護できる。
【００６１】
請求項２に記載の発明によれば、ドレンパン（６０）から水受け皿（６２）までドレン水をヘッド差で流すようにドレン通路（６１）を構成している。したがって、ドレン水を流すためにドレンポンプのような専用の送水機構を用いる必要がなく、構成が複雑になるのを防止できる。
【００６２】
また、上記ドレン水は、ドレンパン（６０）から水受け皿（６２）に至る経路に少しの勾配があれば水受け皿（６２）まで流すことができる。したがって、ドレンパン（６０）と水受け皿（６２）は、その勾配から決まる高低差を満たすようにしたうえで、ドレン水トラップ（７０）を設けるのに必要な高低差も満たすように配置すればよい。例えば上記勾配を１°〜２°程度の僅かな角度にしておけば、ドレンパン（６０）と水受け皿（６２）の高低差を最低限に抑えることが可能となるため、冷凍機ユニット（２０）が高さ方向に大きくなってしまうことを防止できる。このことにより、従来は高さ寸法の制限のために虫による害を防止することが困難であった保冷庫用の冷凍機ユニットにおいて、虫の害を効果的に防止することが可能となる。
【００６３】
請求項３に記載の発明によれば、保冷ボックス（１５）のドア（１６）を開いて庫内が負圧になったときでもドレン水トラップ（７０）内のドレン水をドレンパン（６０）へ向かって逆流させず、ドレン水トラップ（７０）内のドレン水がなくならないようにしている。したがって、虫などがドレン通路（６１）を逆行するのを確実に阻止できるため、食品が害されるのを確実に防止できる。また、この発明においても、ドレン水トラップ（７０）の水位とドレンパン（６０）との高さ寸法をできるだけ小さくしておくことにより、冷凍機ユニット（２０）の高さ寸法が大きくなることを防止できる。
【００６４】
さらに、ドレン通路（６１）をドレン水が逆流してしまうと、該ドレン水が庫内空間へ飛散し、冷却負荷が増大するおそれがあるが、この発明ではドレン水が逆流しないので冷却負荷の増大も防止できる。
【００６５】
請求項４に記載の発明によれば、ドレン水トラップ（７０）を水受け皿（６２）と一体的に構成し、水受け皿（６２）にドレン水トラップ（７０）が隣接するようにしている。したがって、虫などは、該トラップに溜まったドレン水の中へ入らないので、ドレン通路（６１）から庫内へも侵入しない。このため、食品が害されるのをより確実に防止できる。
【００６６】
請求項５に記載の発明によれば、水受け皿（６２）に隣接するカップ状のトラップ容器部（７２）を設け、その内部を仕切壁（７６）で区画することによりドレン水トラップ（７０）を構成しているので、チューブなどを使わずにドレン水トラップ（７０）を簡単に設けることができる。また、このようにトラップ容器部（７２）内を仕切壁（７６）で区画する構成は、チューブなどを用いてトラップを形成する構成よりも高さ寸法を小さくすることが容易であり、冷凍機ユニット（２０）の小型化に関しても効果的である。
【００６７】
請求項６の発明によれば、トラップ容器部（７２）に固定する蓋部材（７３）の下面に仕切壁（７６）を設けるようにしている。このようにすると、トラップ容器部（７２）への仕切壁（７６）の固定が簡単かつ確実に行える。
【００６８】
請求項７に記載の発明によれば、水受け皿（６２）の底面がケーシング（２１）の底フレーム（２５）の上面よりも下方に位置するようにしているため、高さ寸法に制約のある冷凍機ユニット（２０）において、ドレン通路（６１）にドレン水トラップ（７０）を容易に設けることが可能となる。したがって、従来は虫などの侵入対策をするのが困難であった小型の冷凍機ユニット（２０）において、虫などの侵入をより確実に阻止することが可能となる。
【図面の簡単な説明】
【図１】本発明の実施形態に係る保冷庫の外観形状を示す斜視図である。
【図２】図１の保冷庫に用いられている冷凍機ユニットの横断面構造図である。
【図３】図１の保冷庫に用いられている冷凍機ユニットの縦断面構造図である。
【図４】図２のＩＶ−ＩＶ線拡大断面図である。
【図５】図４のＶ−Ｖ線断面図である。
【符号の説明】
（１０）  保冷庫
（１５）  保冷ボックス
（１６）  ドア
（２０）  冷凍機ユニット
（２１）  ケーシング
（２５）  底フレーム
（４１）  圧縮機
（４２）  凝縮器
（４３）  膨張機構
（４４）  蒸発器
（６０）  ドレンパン
（６１）  ドレン通路
（６２）  水受け皿
（６６）  流出口
（６７）  流入口
（７０）  ドレン水トラップ
（７２）  トラップ容器部
（７３）  蓋部材
（７５）  流出口
（７６）  仕切壁
（７７）  流入路
（７８）  流出路
【図１】
2004294018.tif 000003
【図２】
2004294018.tif 000004
【図３】
2004294018.tif 000005
【図４】
2004294018.tif 000006
【図５】
2004294018.tif 000007